(57)【要約】【課題】テレビジョン受像機において、ユーザが映像信号の入力元の機器（入力ソース）を切り換える度に、音声信号の出力先（のスピーカ）を選択するための設定操作を行う必要をなくす。【解決手段】ＢＤプレーヤ等の映像再生装置から受信した音声信号の出力先を、ＡＶアンプと本体スピーカのいずれかに設定するための音声出力先設定画面とリモコンとを設けて、映像信号の入力元の機器が、ある映像再生装置に切り換えられたときに（Ｓ１でＹＥＳ）、この映像再生装置から受信した音声信号の出力先が、音声出力先設定画面を用いて設定された出力先に切り換えられるようにした（Ｓ３乃至Ｓ１１）。これにより、ユーザが映像信号の入力元の機器を、ある映像再生装置に切り換える度に、この映像再生装置から受信した音声信号の出力先を選択するための設定操作を行う必要がなくなる。【選択図】図２
2012147235.tif 000002
【特許請求の範囲】
【請求項１】
スピーカと接続されたアンプ機器にＨＤＭＩ接続され、
前記アンプ機器を介して間接的に、又は直接、映像再生装置に接続され、
前記アンプ機器及び前記映像再生装置に対してＣＥＣコマンドの送受信を行うＨＤＭＩレシーバと、
映像信号の入力元の機器を切り換える映像入力切換手段と、
装置本体に内蔵又は直接接続された本体スピーカとを備えたテレビジョン受像機において、
前記映像再生装置から受信した音声信号の出力先を、前記アンプ機器と前記本体スピーカのいずれかに設定するための音声出力先設定手段と、
前記入力切換手段により映像信号の入力元の機器が前記映像再生装置に切り換えられたときに、前記映像再生装置から受信した音声信号の出力先を、前記音声出力先設定手段により設定された出力先に切り換えるように制御する音声出力先切換制御手段とを備えることを特徴とするテレビジョン受像機。
【請求項２】
前記音声出力先切換制御手段は、前記入力切換手段により映像信号の入力元の機器が前記映像再生装置に切り換えられたときに、前記音声出力先設定手段により設定された音声信号の出力先が前記アンプ機器でない場合は、前記アンプ機器の電源をオフに切り換えるように制御することを特徴とする請求項１に記載のテレビジョン受像機。
【請求項３】
テレビジョン放送信号を受信して、受信したテレビジョン放送信号をデコードし、映像信号と音声信号とを生成する放送信号受信復号手段をさらに備え、
前記音声出力先設定手段は、前記映像再生装置から受信した音声信号の出力先の設定に加えて、前記放送信号受信復号手段により生成された音声信号の出力先の設定にも用いられ、
前記音声出力先切換制御手段は、前記入力切換手段により映像信号の入力元の機器が前記放送信号受信復号手段に切り換えられたときに、前記放送信号受信復号手段により生成された音声信号の出力先を、前記音声出力先設定手段により設定された出力先に切り換えるように制御することを特徴とする請求項１又は請求項２に記載のテレビジョン受像機。
【請求項４】
前記アンプ機器は、リピータ機能を有し、
前記アンプ機器を介して前記映像再生装置に間接的に接続されていることを特徴とする請求項１乃至請求項３のいずれか一項に記載のテレビジョン受像機。
【請求項５】
前記入力切換手段により映像信号の入力元の機器に切り換え可能な機器の中には、前記ＨＤＭＩレシーバにより映像信号を受信可能な映像再生装置を含む、複数の映像再生装置が含まれており、
前記音声出力先設定手段は、前記複数の映像再生装置の各々から受信した音声信号の出力先の設定に用いられ、
前記音声出力先切換制御手段は、前記入力切換手段により映像信号の入力元の機器が前記複数の映像再生装置のうちのいずれかの装置に切り換えられたときに、切換後の入力元にされた映像再生装置（以下、入力元映像再生装置という）から受信した音声信号の出力先を、前記音声出力先設定手段により設定された、前記入力元映像再生装置の出力先に切り換えるように制御することを特徴とする請求項１乃至請求項４のいずれか一項に記載のテレビジョン受像機。
【発明の詳細な説明】
【技術分野】
【０００１】
本発明は、アンプ機器にＨＤＭＩ接続され、映像再生装置から受信した音声信号をアンプ機器に接続されたスピーカに出力することが可能なテレビジョン受像機に関する。
【背景技術】
【０００２】
従来から、アンプ機器とＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）接続可能なテレビジョン受像機（以下、ＴＶ受像機という）では、ＣＥＣ機能を用いて、ＴＶ受像機側の本体スピーカ（ＴＶ受像機の装置本体に内蔵又は直接接続されたスピーカ）と、アンプ機器に接続されたスピーカのうち、いずれのスピーカから音声を出力するかをユーザが選択可能になったものが多い（例えば、特許文献１参照）。また、従来のこの種のＴＶ受像機では、上記のスピーカの選択処理（音声の出力先の選択処理）において、ユーザがアンプ機器（のスピーカ）を選択するための設定操作を行った場合は、ＴＶ受像機側の電源のオン／オフと連動して、アンプ機器側の電源もオン／オフする仕様になったものが多いため、ユーザによるアンプ機器の操作を実質的に不要にすることができる。
【０００３】
ところが、ユーザは、常にアンプ機器のスピーカから音声を出力したいとは限らない。具体的には、例えば、入力ソース（入力機器）がＢＤ（Ｂｌｕ−ｒａｙ  Ｄｉｓｃ）プレーヤ等の映像再生装置である場合には、アンプ機器のスピーカから出力された迫力のある音声を聴きたいが、テレビジョン放送を視聴する場合（入力ソースがＴＶ受像機内蔵のチューナ及びデコーダである場合）には、ＴＶ受像機側の本体スピーカからの音声で充分であると考える場合が多い。しかしながら、従来のＴＶ受像機では、上記のスピーカの選択処理（音声の出力先の選択処理）において、ユーザがアンプ機器（のスピーカ）を選択するための設定操作を行った後は、ＴＶ受像機の電源がオン状態のときには、入力ソースに係らず（その音声信号がどの入力機器から送信されたかに係らず）、常にアンプ機器のスピーカから音声が出力されてしまう。このため、ユーザが、ＴＶ受像機を視聴するときに、ＴＶ受像機側の本体スピーカから音声を出力するようにさせるためには、ＴＶ受像機側の本体スピーカを選択するための設定操作を行う必要があった。言い換えると、ユーザが、入力ソース（映像信号の入力元の機器）を、ＢＤプレーヤ等の映像再生装置から、ＴＶ受像機内蔵のチューナ（及びデコーダ）に切り換える度に、ＴＶ受像機側の本体スピーカを選択するための設定操作を行う必要があった。従って、従来のこの種のＴＶ受像機には、スピーカの選択（音声の出力先の選択）を行う際の操作性が悪いという問題があった。
【０００４】
ところで、この種のＴＶ受像機を含むＡＶシステムにおいて、アンプ機器の電源がオンになると、アンプ機器に接続された外部スピーカの使用が選択されたと判断して、ＴＶ受像機の本体スピーカを消音状態にし、逆に、アンプ機器の電源がオフになると、ＴＶ受像機の本体スピーカの使用が選択されたと判断して、本体スピーカの消音状態を解除するものが知られている（特許文献２参照）。けれども、この発明では、ユーザが、スピーカの選択（音声の出力先の選択）を行うためには、アンプ機器の電源をオン又はオフにする操作が必要になるので、上記の操作性が悪いという問題を解消することはできない。
【先行技術文献】
【特許文献】
【０００５】
【特許文献１】国際公開第２００７／０３７２０８号
【特許文献２】国際公開第２００７／０５２６２５号
【発明の概要】
【発明が解決しようとする課題】
【０００６】
本発明は、上記課題を解決するものであり、映像信号の入力元の機器（入力ソース）に応じて音声信号の出力先（のスピーカ）を自動的に切り換えることができるようにして、ユーザが映像信号の入力元の機器を切り換える度に、音声信号の出力先を選択するための設定操作を行う必要のないテレビジョン受像機を提供することを目的とする。
【課題を解決するための手段】
【０００７】
上記課題を解決するために、請求項1の発明は、スピーカと接続されたアンプ機器にＨＤＭＩ接続され、前記アンプ機器を介して間接的に、又は直接、映像再生装置に接続され、前記アンプ機器及び前記映像再生装置に対してＣＥＣコマンドの送受信を行うＨＤＭＩレシーバと、映像信号の入力元の機器を切り換える映像入力切換手段と、装置本体に内蔵又は直接接続された本体スピーカとを備えたテレビジョン受像機において、前記映像再生装置から受信した音声信号の出力先を、前記アンプ機器と前記本体スピーカのいずれかに設定するための音声出力先設定手段と、前記入力切換手段により映像信号の入力元の機器が前記映像再生装置に切り換えられたときに、前記映像再生装置から受信した音声信号の出力先を、前記音声出力先設定手段により設定された出力先に切り換えるように制御する音声出力先切換制御手段とを備えるものである。
【０００８】
請求項２の発明は、請求項１に記載のテレビジョン受像機において、前記入力切換手段により映像信号の入力元の機器が前記映像再生装置に切り換えられたときに、前記音声出力先設定手段により設定された音声信号の出力先が前記アンプ機器でない場合は、前記アンプ機器の電源をオフに切り換えるように制御するものである。
【０００９】
請求項３の発明は、請求項１又は請求項２に記載のテレビジョン受像機において、テレビジョン放送信号を受信して、受信したテレビジョン放送信号をデコードし、映像信号と音声信号とを生成する放送信号受信復号手段をさらに備え、前記音声出力先設定手段は、前記映像再生装置から受信した音声信号の出力先の設定に加えて、前記放送信号受信復号手段により生成された音声信号の出力先の設定にも用いられ、前記音声出力先切換制御手段は、前記入力切換手段により映像信号の入力元の機器が前記放送信号受信復号手段に切り換えられたときに、前記放送信号受信復号手段により生成された音声信号の出力先を、前記音声出力先設定手段により設定された出力先に切り換えるように制御するものである。
【発明の効果】
【００１０】
請求項１の発明によれば、映像信号の入力元の機器が映像再生装置に切り換えられたときに、この映像再生装置から受信した音声信号の出力先が、音声出力先設定手段により設定された出力先に自動的に切り換えられるので、従来と異なり、ユーザが映像信号の入力元の機器（入力ソース）を映像再生装置に切り換える度に、この映像再生装置から受信した音声信号の出力先を選択するための設定操作を行う必要がなくなる。従って、従来のこの種のテレビジョン受像機と比べて、音声信号の出力先の選択を行う際の操作性を向上させることができる。
【００１１】
請求項２の発明によれば、映像信号の入力元の機器が映像再生装置に切り換えられたときに、音声出力先設定手段により設定された音声信号の出力先がアンプ機器でない場合は、アンプ機器の電源がオフに切り換えられる。従って、本テレビジョン受像機と、アンプ機器と、映像再生装置とを含むＡＶシステム全体における消費電力の低減を図ることができる。
【００１２】
請求項３の発明によれば、映像信号の入力元の機器が放送信号受信復号手段に切り換えられたときに、放送信号受信復号手段により生成された音声信号の出力先が、音声出力先設定手段により設定された出力先に自動的に切り換えられるので、従来と異なり、ユーザが映像信号の入力元の機器を放送信号受信復号手段に切り換える度に、この放送信号受信復号手段により生成された音声信号の出力先を選択するための設定操作を行う必要がなくなる。
【００１３】
請求項４の発明によれば、上記に記載の効果を的確に得ることができる。
【００１４】
請求項５の発明によれば、複数の映像再生装置に接続されて、これらの映像再生装置を映像信号の入力元の機器に切り換えることが可能なテレビジョン受像機において、映像信号の入力元の機器が上記複数の映像再生装置のうちのいずれかの装置に切り換えられたときに、切換後の入力元にされた映像再生装置（以下、入力元映像再生装置という）から受信した音声信号の出力先が、音声出力先設定手段により設定された、入力元映像再生装置の出力先に切り換えられるので、従来と異なり、ユーザが映像信号の入力元の機器を上記の入力元映像再生装置に切り換える度に、この入力元映像再生装置から受信した音声信号の出力先を選択するための設定操作を行う必要がなくなる。
【図面の簡単な説明】
【００１５】
【図１】本発明の一実施形態に係るＴＶ受像機を含むＡＶシステムの電気的ブロック構成図。
【図２】同ＴＶ受像機における音声出力先切換制御処理のフローチャート。
【図３】同ＴＶ受像機における音声出力先設定画面を示す図。
【発明を実施するための形態】
【００１６】
以下、本発明の一実施形態について、図面を参照して説明する。以下の実施形態では、本発明を液晶ディジタルテレビジョン受像機に適用した場合の例について説明する。なお、以下に記載した実施形態は、本発明を網羅するものではなく、本発明は、下記の形態だけに限定されない。
【００１７】
図１は、本実施形態による映像表示装置である液晶ディジタルテレビジョン受像機（以下、ＴＶ受像機という）を含むＡＶ（Ａｕｄｉｏ  ａｎｄ  Ｖｉｓｕａｌ）システムを示す。このＡＶシステム１０は、ＴＶ受像機１と、ＡＶアンプ２（アンプ機器）と、ＢＤ（Ｂｌｕ−ｒａｙ  Ｄｉｓｃ）プレーヤ３（映像再生装置）とから構成されている。ＴＶ受像機１とＡＶアンプ２との間は、ＨＤＭＩケーブル４でＨＤＭＩ接続されており、また、ＡＶアンプ２とＢＤプレーヤ３との間は、ＨＤＭＩケーブル５でＨＤＭＩ接続されている。ＡＶアンプ２は、リピータ機能を有しており、ＴＶ受像機１は、ＡＶアンプ２を介して間接的にＢＤプレーヤ３と接続されている。
【００１８】
上記のＴＶ受像機１とＡＶアンプ２との間は、光ディジタルケーブル６でも接続されており、ＴＶ受像機１は、この光ディジタルケーブル６を介して、ＡＶアンプ２に光ディジタル信号の形式で音声信号を出力することができる。
【００１９】
図に示されるように、ＴＶ受像機１は、装置全体の制御を行うＣＰＵ１１（音声出力先切換制御手段）と、装置各部に電力を供給する電源１２とを備えている。また、ＴＶ受像機１は、アンテナ１３を介してディジタルテレビジョン放送信号（トランスポートストリーム）を受信するためのチューナ１４と、チューナ１４で受信したトランスポートストリーム中のパケットをデコードすることにより、映像ストリーム、音声ストリーム、データストリームを生成するＭＰＥＧデコーダ１５とを備えている。チューナ１４とＭＰＥＧデコーダ１５とが、請求項における放送信号受信復号手段に相当する。
【００２０】
また、ＴＶ受像機１は、ＭＰＥＧデコーダ１５で生成された映像ストリーム、ＨＤＭＩレシーバ２９で受信したＨＤＭＩ信号に含まれる映像信号、及び外部入力部３０で受信した映像信号（コンポジット映像信号、コンポーネント映像信号、及びアナログＲＧＢコンポーネント映像信号）のいずれか一つを、選択的に映像信号処理回路１７に出力することにより、映像信号の入力元の機器を切り換える入力切換部１６を備えている。入力切換部１６は、ユーザがリモコン２４を用いて行った切換操作の内容に応じた制御信号を、リモコン信号受信部２５を介してＣＰＵ１１から受信して、受信した制御信号の内容に応じた、映像信号の入力元の機器の切り換えを行う。この入力切換部１６とＣＰＵ１１とリモコン２４とが、請求項における映像入力切換手段に相当する。入力切換部１６は、ＭＰＥＧデコーダ１５で生成された音声ストリーム、ＨＤＭＩレシーバ２９で受信したＨＤＭＩ信号に含まれる音声信号、及び外部入力部３０で受信したアナログ又はディジタルの音声信号のいずれか一つを、選択的に音声信号処理回路２０又は音声出力部３１に出力することにより、音声信号の入力元の機器を切り換える機能も有している。また、入力切換部１６は、入力された音声信号の出力先を、音声信号処理回路２０と音声出力部３１のいずれかに切り換える機能も有している。
【００２１】
また、ＴＶ受像機１は、入力切換部１６から出力された映像信号に対して画像処理等の各種の処理を施して、これらの処理後の映像信号を再生する映像信号処理回路１７と、映像信号処理回路１７から受信した映像信号に基づいて表示用電極を駆動する電極駆動回路１８と、映像信号処理回路１７による映像信号処理後の映像信号に基づく映像を表示する液晶表示パネル１９とを備えている。
【００２２】
さらにまた、ＴＶ受像機１は、入力切換部１６を介して入力された音声信号に対して、各種の音声信号処理（入力された音声信号がディジタル形式の音声信号である場合には、Ｄ／Ａ変換処理も含む）を行う音声信号処理回路２０と、音声信号処理回路２０から出力された音声信号を増幅するアンプ２１と、アンプ２１で増幅された音声信号（駆動信号）に駆動されて音声を出力する内蔵の本体スピーカ２２とを備えている。
【００２３】
上記のＴＶ受像機１は、映像信号の入力元の機器を切り換えるための指示操作等の各種操作に用いられるリモコン２４を有しており、ＴＶ受像機１の本体側には、リモコン２４からのリモコン信号を受信するためのリモコン信号受信部２５が設けられている。また、ＴＶ受像機１は、制御プログラム２８や、音声信号の出力先の設定データを格納した音声出力先設定テーブル２７を含む各種データを記憶するためのメモリ２６を有している。
【００２４】
また、ＴＶ受像機１は、ＡＶアンプ２から出力されたＨＤＭＩ信号（映像信号と音声信号を含む）を受信すると共に、ＡＶアンプ２及びＢＤプレーヤ３に対してＣＥＣコマンドの送受信を行うＨＤＭＩレシーバ２９と、ＡＶアンプ２及びＢＤプレーヤ３以外の外部入力機器（請求項５における複数の映像再生装置の一部を含む）からの映像信号や音声信号を入力するための外部入力部３０と、ＡＶアンプ２等の外部出力機器に光ディジタル信号形式の音声信号を出力するためのＳ／ＰＤＩＦ（(Ｓｏｎｙ  Ｐｈｉｌｉｐｓ  Ｄｉｇｉｔａｌ  ＩｎｔｅｒＦａｃｅ）端子を有する音声出力部３１とを有している。
【００２５】
ＡＶアンプ２は、装置全体の制御を行うＣＰＵ４１と、制御プログラムや各種のデータを記憶するメモリ４２と、装置各部に電力を供給する電源４３とを備えている。また、ＡＶアンプ２は、ＢＤプレーヤ３から映像信号と音声信号を含むＨＤＭＩ信号を受信すると共に、ＢＤプレーヤ３との間でＣＥＣコマンドの送受信を行うＨＤＭＩレシーバ４４と、ＨＤＭＩレシーバ４４で受信した映像信号に対して所定の処理を行う映像信号処理回路４５と、映像信号処理回路４５を介して受信したＢＤプレーヤ３からの映像信号をＴＶ受像機１に送信すると共に、ＴＶ受像機１との間でＣＥＣコマンドの送受信を行うＨＤＭＩトランスミッタ４６を有している。さらにまた、ＡＶアンプ２は、ＴＶ受像機１から受信した光ディジタル信号形式の音声信号を受信して、通常のディジタル信号形式の音声信号に変換する外部音声入力部５１と、外部音声入力部５１を介してＴＶ受像機１から受信した音声信号、又はＨＤＭＩレシーバ４４を介してＢＤプレーヤ３から受信した音声信号に対して、各種の音声信号処理を行う音声信号処理回路４７と、音声信号処理回路４７から入力されたディジタル形式の音声信号をアナログ形式の音声信号に変換するＤ／Ａコンバータ４８と、Ｄ／Ａコンバータ４８から出力された音声信号を増幅するアンプ４９とを備えている。
【００２６】
上記のＡＶアンプ２には、アンプ４９で増幅された音声信号（駆動信号）に駆動されて音声を出力するスピーカ６１が接続されている。また、ＡＶアンプ２は、各種操作に用いられるリモコン５２を有しており、ＡＶアンプ２の本体側には、リモコン５２からのリモコン信号を受信するためのリモコン信号受信部５０が設けられている。
【００２７】
ＢＤプレーヤ３は、映像信号及び音声信号を含むＨＤＭＩ信号をＡＶアンプ２に送信すると共に、ＡＶアンプ２との間でＣＥＣコマンドの送受信を行うＨＤＭＩトランスミッタ６２を有している。このＨＤＭＩトランスミッタ６２により送信されたＨＤＭＩ信号に含まれる映像信号は、ＡＶアンプ２を介してＴＶ受像機１に送信される。
【００２８】
次に、図２のフローチャートを参照して、ＴＶ受像機１において、ＢＤプレーヤ３から受信した音声信号の出力先を切り換えるために行われる音声出力先切換制御処理について説明する。ユーザが、リモコン２４を用いて、ＴＶ受像機１の電源オン操作、又は映像信号の入力元の機器の切り換え操作を行うと（Ｓ１でＹＥＳ）、ＴＶ受像機１のＣＰＵ１１は、入力切換部１６に制御信号を送って、電源オン操作時には、映像信号の入力元の機器を前回の電源オフ時における映像信号の入力元の機器に設定し、また、入力元の機器の切り換え操作時には、映像信号の入力元の機器を、切り換え操作に応じた入力元の機器に切り換える。この後、ＣＰＵ１１は、入力切換部１６による切り替え処理（又は設定処理）後の入力元の機器から映像信号が入力されているか否かを検知する。
【００２９】
上記の検知の結果、映像信号が入力されている場合には（Ｓ２でＹＥＳ）、ＣＰＵ１１は、メモリ２６における音声出力先設定テーブル２７における音声信号の出力先の設定データに基づいて、入力切換部１６による切り替え処理（又は設定処理）後の入力元の機器から受信した音声信号の出力先を切り換える。具体的には、例えば、上記の切り替え処理（又は設定処理）後の入力元の機器がＢＤプレーヤ３であった場合には、ＣＰＵ１１は、音声出力先設定テーブル２７における、ＢＤプレーヤ３の音声信号の出力先の設定が、ＡＶアンプ２になっているか否かを確認する。この結果、ＡＶアンプ２になっている場合は（Ｓ３でＹＥＳ）、ＡＶアンプ２に音声有効コマンド（音声を出力するように指示するためのコマンド）を発行（送信）する（Ｓ４）。
【００３０】
上記のコマンドを受信したＡＶアンプ２のＣＰＵ４１は、その時点でスタンバイ状態であった場合には、自機の電源をオンにし、その時点で電源オン状態であった場合には、自機の電源をオン状態のままにする。そして、ＡＶアンプ２のＣＰＵ４１は、音声を出力可能な状態になったことを通知するためのレスポンスをＴＶ受像機１に返す。ＴＶ受像機１のＣＰＵ１１は、このＡＶアンプ２からのレスポンスを受信すると（Ｓ５でＹＥＳ）、本体スピーカ２２の出力をオフの状態（ミュート状態）にする（Ｓ６）。そして、ＴＶ受像機１のＣＰＵ１１は、音声出力部３１から光ディジタルケーブル６を介してＡＶアンプ２に音声信号の出力を開始することにより、ＡＶアンプ２がスピーカ６１から音声の出力を開始するようにさせる（Ｓ７）。
【００３１】
上記Ｓ３の判定（確認）処理において、音声信号の出力先の設定が、ＡＶアンプ２になっていない場合には（Ｓ３でＮＯ）、ＴＶ受像機１のＣＰＵ１１は、ＡＶアンプ２の電源がオン状態であるか否かを判定する（Ｓ８）。この結果、ＡＶアンプ２の電源がオン状態である場合には（Ｓ８でＹＥＳ）、ＴＶ受像機１のＣＰＵ１１は、ＡＶアンプ２に電源オフコマンド（ＡＶアンプ２の電源をオフに切り換えるためのコマンド）を発行（送信）する（Ｓ９）。このコマンドを受信したＡＶアンプ２のＣＰＵ４１は、自機の電源をオフにする。これに対して、ＡＶアンプ２の電源がオフ状態である場合には（Ｓ８でＮＯ）、ＴＶ受像機１のＣＰＵ１１は、ＡＶアンプ２に電源オフコマンドを発行しない。
【００３２】
上記Ｓ９の処理後、ＴＶ受像機１のＣＰＵ１１は、本体スピーカ２２の出力をオンの状態にして（本体スピーカ２２の出力のミュート状態を解除して）（Ｓ１０）、本体スピーカ２２から音声の出力を開始するようにさせる（Ｓ１１）。なお、上記Ｓ５の判定処理において、ＴＶ受像機１のＣＰＵ１１が、ＡＶアンプ２からのレスポンスを受信できなかった場合（ＡＶアンプ２が、音声有効コマンドを受信したときに主電源がオフ状態になっていた等の原因により、レスポンスをＴＶ受像機１に返さなかった場合）（Ｓ５でＮＯ）にも、上記Ｓ１０及びＳ１１と同様な処理を行う。
【００３３】
次に、図３を参照して、上記の音声出力先設定テーブル２７に各入力ソース（各入力機器）の音声信号の出力先の設定データを登録するための音声出力先設定画面について説明する。図に示されるように、この音声出力先設定画面７０は、各音声信号の入力ソース（入力機器）の表示欄７１と、この表示欄７１に表示された各入力ソースに対応した音声出力先設定欄７２とから構成されている。なお、この音声出力先設定欄７２における音声信号の出力先の設定処理では、リモコン２４の数字キーの「１」を押下することにより、音声信号の出力先に、「本体スピーカ」（本体スピーカ２２）が設定され、リモコン２４の数字キーの「２」を押下することにより、音声信号の出力先に、「アンプ」（ＡＶアンプ２）が設定される。また、入力ソースの表示欄７１における「ＲＦ」は、ＴＶ受像機１のチューナ１４とＭＰＥＧデコーダ１５を表し、「ビデオ１」と「ビデオ２」とは、外部入力部３０のコンポジット映像信号入力用の端子又はコンポーネント映像信号入力用の端子に接続された１つ目の映像再生装置と２つ目の映像再生装置とを表す。「ＰＣ」は、外部入力部３０のＶＧＡ端子に接続されたパソコンを表す。また、「ＨＤＭＩ１」と「ＨＤＭＩ２」とは、ＨＤＭＩレシーバ２９の１つ目のＨＤＭＩ端子と２つ目のＨＤＭＩ端子に、（直接的に、又はＡＶアンプ２を介して間接的に）接続された１つ目の映像再生装置と２つ目の映像再生装置とを表す。ユーザが、音声出力先設定画面７０とリモコン２４とを用いて設定した内容が、上記の音声出力先設定テーブル２７に、各入力ソース（各入力機器）の音声信号の出力先として登録（記憶）される。
【００３４】
上記のＢＤプレーヤ３は、ＡＶアンプ２を介して間接的にＴＶ受像機１と接続されており、図３中のＨＤＭＩ１の映像再生装置に相当する。また、この音声出力先設定画面７０とリモコン２４とが、請求項における音声出力先設定手段に相当する。なお、図３では、ＴＶ受像機１の入力ソースとして、６種類の映像再生装置が接続されている場合の例を示したが、図１に示される例では、ＴＶ受像機１の入力ソースとして、「ＲＦ」（ＴＶ受像機１のチューナ１４とＭＰＥＧデコーダ１５）と、「ＨＤＭＩ１」（ＢＤプレーヤ３）のみが接続されている。また、図３に示されるように複数の映像再生装置がＴＶ受像機１に接続されている場合には、ユーザが、リモコン２４を用いて、ＴＶ受像機１の電源オン操作、又は映像信号の入力元の機器（映像再生装置）の切り換え操作を行うと、ＴＶ受像機１のＣＰＵ１１は、切換後の入力元にされた映像再生装置（入力ソース）から受信した音声信号の出力先を、音声出力先設定画面７０とリモコン２４を用いてユーザにより設定された（該当の入力ソースの）音声信号の出力先（音声出力先設定テーブル２７に記憶された音声信号の出力先の設定データに対応する出力先）に切り換えるように制御する。
【００３５】
上記のように、本実施形態のＴＶ受像機１によれば、映像信号の入力元の機器が、例えばＢＤプレーヤ３に切り換えられたときに、このＢＤプレーヤ３から受信した音声信号の出力先が、音声出力先設定画面７０とリモコン２４を用いて予めユーザにより設定された（音声出力先設定テーブル２７に記憶された）、ＢＤプレーヤ３（「ＨＤＭＩ１」）の音声信号の出力先に自動的に切り換えられるので、従来と異なり、ユーザが映像信号の入力元の機器（入力ソース）をＢＤプレーヤ３等の映像再生装置に切り換える度に、この映像再生装置から受信した音声信号の出力先を選択するための設定操作を行う必要がなくなる。従って、従来のこの種のテレビジョン受像機と比べて、音声信号の出力先の選択を行う際の操作性を向上させることができる。
【００３６】
また、映像信号の入力元の機器がＢＤプレーヤ３に切り換えられたときに、音声出力先設定画面７０とリモコン２４を用いてユーザにより設定された、ＢＤプレーヤ３の音声信号の出力先がＡＶアンプ２でない場合は、ＡＶアンプ２の電源がオフに切り換えられる。従って、本ＴＶ受像機１と、ＡＶアンプ２と、ＢＤプレーヤ３とを含むＡＶシステム１０全体における消費電力の低減を図ることができる。
【００３７】
さらにまた、本ＴＶ受像機１によれば、映像信号の入力元の機器が、チューナ１４（及びＭＰＥＧデコーダ１５）に切り換えられたときに、チューナ１４とＭＰＥＧデコーダ１５により生成された音声信号の出力先が、音声出力先設定画面７０とリモコン２４を用いてユーザにより設定された、チューナ１４とＭＰＥＧデコーダ１５との出力先（図３中の「ＲＦ」に対応する出力先）に自動的に切り換えられるので、従来と異なり、ユーザが映像信号の入力元の機器をチューナ１４（及びＭＰＥＧデコーダ１５）に切り換える度に、チューナ１４とＭＰＥＧデコーダ１５により生成された音声信号の出力先を選択するための設定操作を行う必要がなくなる。
【００３８】
また、本ＴＶ受像機１によれば、図３に示される例のように、複数の映像再生装置に接続された場合に、映像信号の入力元の機器が複数の映像再生装置のうちのいずれかの装置に切り換えられたときに、切換後の入力元にされた映像再生装置（以下、入力元映像再生装置という）から受信した音声信号の出力先が、音声出力先設定画面７０とリモコン２４を用いて予めユーザにより設定された（音声出力先設定テーブル２７に記憶された）、入力元映像再生装置の出力先に切り換えられるので、従来と異なり、ユーザが、映像信号の入力元の機器を、上記の入力元映像再生装置に切り換える度に、この入力元映像再生装置から受信した音声信号の出力先を選択するための設定操作を行う必要がなくなる。
【００３９】
なお、本発明は、上記実施形態の構成に限られず、発明の趣旨を変更しない範囲で種々の変形が可能である。例えば、上記実施形態では、ＴＶ受像機１のＨＤＭＩレシーバ２９の１つ目のＨＤＭＩ端子に、ＡＶアンプ２を介して間接的にＢＤプレーヤ３を接続した場合の例を示したが、ＴＶ受像機のＨＤＭＩレシーバの１つ目のＨＤＭＩ端子に、ＡＶアンプを介して間接的に、ＤＶＤレコーダ、ＢＤレコーダ、ハードディスクレコーダ等を接続してもよい。また、上記実施形態では、ＴＶ受像機１が、光ディジタルケーブル６を介して、ＡＶアンプ２に光ディジタル信号の形式で音声信号を出力する場合の例を示したが、ＴＶ受像機にＨＤＭＩトランスミッタを設けて、このＨＤＭＩトランスミッタとＨＤＭＩケーブルとを介して、ＡＶアンプにＨＤＭＩ信号の形式で音声信号を出力してもよい。
【符号の説明】
【００４０】
１    ＴＶ受像機（テレビジョン受像機）
２    ＡＶアンプ（アンプ機器）
３    ＢＤプレーヤ（映像再生装置）
１１  ＣＰＵ（映像入力切換手段、音声出力先切換制御手段）
１４  チューナ（放送信号受信復号手段）
１５  ＭＰＥＧデコーダ（放送信号受信復号手段）
１６  入力切換部（映像入力切換手段）
２２  本体スピーカ
２４  リモコン（映像入力切換手段、音声出力先設定手段）
２９  ＨＤＭＩレシーバ
７０  音声出力先設定画面（音声出力先設定手段）
【図１】
2012147235.tif 000003
【図２】
2012147235.tif 000004
【図３】
2012147235.tif 000005